【事件の表示】
　平成　５年特許願第３３７４７５号「遊技機の変動入賞装置」拒絶査定不服審判事件〔平成　７年　７月２５日出願公開、特開平　７−１８５０７７〕について、次のとおり審決する。
【結　論】
　本件審判の請求は、成り立たない。
【理　由】
【１】手続の経緯・本願発明
　本願は、平成５年１２月２８日の出願であって、平成１３年５月２２日付けで拒絶査定がなされ、これに対し、同年７月２日に拒絶査定に対する審判請求がなされるとともに、同年８月１日付けで手続補正がなされた。
　本願の請求項１に係る発明は、特許請求の範囲の請求項１に記載された事項により特定される下記のとおりのものであると認める。
「ハウジングと、このハウジングの前面に開閉可能に取り付けられた開閉扉と、この開閉扉を開閉するためのソレノイドとを備えた遊技機の変動入賞装置において、上記ソレノイドには、ソレノイド本体と、一端側をソレノイド本体の外部に突き出して設けられ、前記開閉扉と連動して運動可能な棒状のプランジャと、ソレノイド本体内のプランジャ周囲に巻かれ、印可電圧の極性に応じてプランジャをその長手方向に往復運動させるための電磁力を発生させるコイルと、前記プランジャの長手方向のソレノイド本体内に固定され、その固定位置でプランジャを保持することにより、開閉扉を閉止した状態に保つための永久磁石と、を備えたことを特徴とする変動入賞装置。」
（以下、「本願発明」という。）
　
【２】本願出願前に頒布された刊行物に記載された発明
（１）これに対して、原査定の拒絶の理由に引用された、実願昭６０−１４０１２号（実開昭６１−１３０２８１号）のマイクロフィルム（以下、「刊行物」という。）には次の記載がある。
イ．実用新案登録請求の範囲第１項「所定の条件下に作動するソレノイドのプランジャに連繋させた駆動体により入賞口の玉受けプレートを開閉動作させるようにした入賞装置であって、前記駆動体を、ソレノイド本体から突出したプランジャの両端部にそれぞれ取着される取付部と、前記ソレノイド本体におけるプランジャの作動方向と平行な側面に対して摺接移動されかつ前記玉受けプレートと連繋されるガイド部とから一体に形成したことを特徴とするパチンコ機の入賞装置。」
ロ．４頁８行〜１３行「所定の条件下において、ソレノイドのプランジャが進退動作すると、該プランジャの両端部において取着された駆動体が前記ソレノイドの本体の両側面を案内として動作され、この駆動体の動作によって入賞口の玉受けプレートが開閉動作されるものである。」
ハ．４頁１６行〜６頁８行「本例の入賞装置１は…その前面の取付基板２を介して、パチンコ機３の遊技盤４の中央下部に取付けられている。この入賞装置１の取付基板２には、中央部に他のセーフ孔に比し大径に形成した横長状の入賞口５が設けられ、この入賞口５に対し、該入賞口５前面を開閉口する玉受けプレート６が下端両側部の枢軸７を介して回動可能に嵌装支持されている。そして玉受けプレート６の後面一側端…には扇状に形成した案内片８が一体に設けられ、該案内片８の一側面…には枢軸７と平行に作動軸９が突設されている。次に、取付基板２の後面には、前記入賞口５の左右側縁及び上下縁を囲むように基体１０が取付けられ、該基体１０は、入賞口５の後側において該入賞口５と等しい大きさの箱枠形状の入賞部１１が形成されており、この入賞部１１の底部、すなわち基体１０の底板は一側方…に傾斜して誘導部１２となしている。…前記基体１０の後面には入賞部１１の後面開口部を塞ぐ基板１３が取付けられ、この基板１３の一方側には誘導部１２の傾斜面の下位側の端部に対向して入賞部１１内に入賞したパチンコ球を…入賞球処理装置に導くための落下口１４が貫設され、この落下口１４の周縁には該落下口１４より落下するパチンコ球を検知する…検出装置を装着するための取付枠１５が形成されている。」　
ニ．７頁１行〜８頁１０行「ソレノイド２２を収容したソレノイド本体２３は、前後面を開口した箱枠形状に形成され、前記取付板２０と基板１３との間に挟着されるとともに、該基板１３と取付板２０に設けた２本の突起２４に対し、その開口部分を掛止して固定されている。そしてソレノイド本体２３に対して上下動されるソレノイド２２のプランジャ２５またはその上下端部がソレノイド本体２３の上下面から突出されている。駆動体２６は前記ソレノイド本体２３と同様に前後面を開口した箱枠形状に形成されて、該ソレノイド本体２３に対し外側から囲繞するように嵌装され、その左右の側板２６ａはソレノイド本体２３の左右の側面に摺接するガイド部となし、上下の板が前記プランジャ２５の上下端部とそれぞれＵ字状溝２７ａ、２７ｂを介して取着されており、これにより駆動体２６はプランジャ２５とともにソレノイド本体２３の側面を案内として上下動可能に構成されている。なお、駆動体２６の下部とソレノイド本体２３との間にはプランジャ２５に巻回した戻り用のスプリング２８が弾装され、該プランジャ２５を常には下方へ付勢するように作用している。また、駆動体２６の前後の開口端面はそれぞれ基板１３、取付板２０に摺接した状態でその上下動が案内される。駆動体２６の一方側板２６ａのほぼ下部前面には作動片２９が突設され、この作動片２９は前記案内溝１７を貫通して、前記案内片８の側方まで延出され、その先端部に形成した係合溝３０内に前記作動軸９を遊嵌している。」
ホ．８頁１３行〜９頁６行「所定の入賞条件による検出装置の作用によりソレノイド２２が励磁されるとプランジャ２５がスプリング２８の弾力に抗して上昇され、このプランジャ２５とともに駆動体２６が主にソレノイド本体２３の左右の側面並びに基板１３と取付板２０とを案内として上動される。そして、駆動体２６と一体の作動片２９の上動によってその係合溝３０に遊嵌された作動軸９を押し上げようとするため、これに伴って案内片８に図示反時計方向の回動作用が付与されるので、これと一体の玉受けプレート６が枢軸７を中心として９０°より小さい所定角度回動されて遊技盤４の前方へ倒れ（開動）、入賞口５を開口させる（第４図参照）。」
ヘ．９頁１９行〜１０頁５行「入賞解除条件が成立したときは、その検出装置の作用により、ソレノイド２２の励磁状態が解除され、プランジャ２５と駆動体２６とがその自重及びスプリング２８の弾発力によって下降動作し、これに伴って玉受けプレート６が前記と逆の方向に回動して、入賞口５を閉じる（閉動）ものである（第３図参照）。」
　また、第１、３、４図を参照するとプランジャ２５は棒状であることは明らかであり、ソレノイド２２本体内のプランジャ周囲に巻かれ電磁力を発生させるコイルを備えることは当業者に自明な事項である。
　上記記載、図面及び当業者の技術常識から刊行物には以下の発明が記載されていると認められる。
「取付基板２と入賞口５の左右側縁及び上下縁を囲む基体１０，基体１０の後面には入賞部１１の後面開口部を塞ぐ基板１３が取付けられ、この取付基板２の前面に開閉可能に取り付けられた玉受けプレート６と、この玉受けプレート６を開閉するためのソレノイド２２とを備えたパチンコ機の入賞装置１において、上記ソレノイド２２には、ソレノイド２２本体と、両端をソレノイド２２本体の外部に突き出して設けられ、前記玉受けプレート６と連繋して運動可能な棒状のプランジャ２５と、ソレノイド２２本体内のプランジャ周囲に巻かれ励磁に応じてプランジャ２５をその長手方向に上動させ玉受けプレート６を開動させるための電磁力を発生させるコイルと、励磁状態が解除されたときにプランジャ２５と駆動体２６の自重及びその弾発力によってプランジャ２５をその長手方向に下動させるとともに、玉受けプレート６を閉じる状態に保つスプリング２８と、を備えた入賞装置１。」
　
【３】対比・判断
（１）本願発明と刊行物記載の発明を対比すると、刊行物記載の発明の「玉受けプレート６」は本願発明の「開閉扉」に相当し、以下同様に、「パチンコ機」は「遊技機」に、「入賞装置１」は「変動入賞装置」に、「連繋」は「連動」に、「励磁に応じて」は「印可電圧に応じて」に、それぞれ相当し、刊行物記載の「取付基板２と入賞口５の左右側縁及び上下縁を囲む基体１０，基体１０の後面には入賞部１１の後面開口部を塞ぐ基板１３」は、入賞した玉（本願発明の「特定入賞球」）を囲繞する略中空の空間を形成する板材であるから、本願発明の「ハウジング」に相当する。また、刊行物記載の発明の「プランジャ２５をその長手方向に上動させ玉受けプレート６を開動させるための電磁力を発生させるコイル」は、本願発明の「プランジャをその長手方向に往復運動させるための電磁力を発生させるコイル」と「プランジャをその長手方向の一方に運動させて開閉扉を開くための電磁力を発生させるコイル」で共通するとともに、刊行物記載の発明の「励磁状態が解除されたときにプランジャ２５と駆動体２６の自重及びその弾発力によってプランジャ２５をその長手方向に下動させるとともに、玉受けプレート６を閉じる状態に保つスプリング２８」は本願発明の「プランジャの長手方向のソレノイド本体内に固定され、その固定位置でプランジャを保持することにより、開閉扉を閉止した状態に保つための永久磁石」と「開閉扉を閉止した状態に保つための保持手段」で共通する。
　そうすると、両者は、「ハウジングと、このハウジングの前面に開閉可能に取り付けられた開閉扉と、この開閉扉を開閉するためのソレノイドとを備えた遊技機の変動入賞装置において、上記ソレノイドには、ソレノイド本体と、ソレノイド本体の外部に突き出して設けられ、前記開閉扉と連動して運動可能な棒状のプランジャと、ソレノイド本体内のプランジャ周囲に巻かれ、印可電圧に応じてプランジャをその長手方向の一方に運動させて開閉扉を開くための電磁力を発生させるコイルと、開閉扉を閉止した状態に保つための保持手段と、を備えた変動入賞装置。」である点で一致し、以下の点で相違している。
　
［相違点１］ソレノイドのプランジャが、本願発明は、一端側をソレノイド本体の外部に突き出して設けられるのに対し、刊行物記載の発明は、両端側をソレノイド本体の外部に突き出して設けられる点。
［相違点２］本願発明は、印可電圧の極性に応じてプランジャを往復運動させるコイルを備えたのに対し、刊行物記載の発明は、励磁に応じてプランジャをその長手方向に上動させ玉受けプレートを開動させるための電磁力を発生させるコイルを備えた点。
［相違点３］本願発明は、プランジャの長手方向のソレノイド本体内に固定され、その固定位置でプランジャを保持することにより、開閉扉を閉止した状態に保つための永久磁石を備えたのに対し、刊行物記載の発明は、励磁状態が解除されたときにプランジャと駆動体の自重及びその弾発力によって玉受けプレートを閉じる状態に保つスプリングを備えた点。
（２）上記相違点について検討する。
［相違点１］について
　変動入賞装置の開閉扉と連動して運動可能なソレノイドの棒状のプランジャにおいて、一端側をソレノイド本体の外部に突き出して設けられるものは、周知の技術（以下「周知技術１」という。例えば、特開平５−２２０２６１号公報、特開平２−１０４３８３号公報、実願平３−９３６６５号（実開平５−３５１７８号）のＣＤ−ＲＯＭ等参照）であるから、刊行物記載の発明の両端側をソレノイド本体の外部に突き出して設けたプランジャに代えて、周知技術１の一端側をソレノイド本体の外部に突き出して設ける事項を採用し、本願発明の相違点１に係る構成とすることは、当業者が容易に想到できたことである。
［相違点２］について
　刊行物記載の発明は、励磁に応じてプランジャをその長手方向に上動させ玉受けプレートを開動させるための電磁力を発生させるコイルと、励磁状態が解除されたときにプランジャと駆動体の自重及びスプリングの弾発力によってプランジャをその長手方向に下動させるものであるところ、印可電圧の極性に応じてプランジャをその長手方向に往復運動させるコイルは、ソレノイドの技術分野において、周知の技術（以下「周知技術２」という。例えば実願平３−２５０３８号（実開平４−１２０２０６号）のマイクロフィルム、特開平４−３３０７０３号公報等参照）であるから、刊行物記載の発明のプランジャを長手方向に上動させるコイル及び、プランジャと駆動体の自重及びスプリングの弾発力によってプランジャを長手方向に下動させる手段に代えて、周知技術２の印可電圧の極性に応じてプランジャをその長手方向に往復運動させるコイルを採用し、本願発明の相違点２に係る構成とすることは、当業者が容易に想到できたことである。
［相違点３］について
　刊行物記載の発明は、プランジャと駆動体の自重及びスプリング２８の弾発力によって玉受けプレート６（本願発明の「開閉扉」に相当）を閉止した状態に保つものであるところ、プランジャの長手方向のソレノイド本体内に固定され、その固定位置でプランジャを保持することにより、他の部材を一定の状態に保つための永久磁石を備えるソレノイドは、周知の技術（以下「周知技術３」という。例えば、実願平３−２５０３８号（実開平４−１２０２０６号）のマイクロフィルム、実願平３−３８８５４号（実開平４−１２３５０７号）のマイクロフィルム、実願平２−１２５３９７号（実開平４−８２８０５号）のマイクロフィルム等参照）であるから、開閉扉を閉止した状態に保つための保持手段であるプランジャと駆動体の自重及びスプリング２８の弾発力に代えて、周知技術３のプランジャの長手方向のソレノイド本体内に固定され、その固定位置でプランジャを保持する永久磁石を採用し、本願発明の相違点３に係る構成とすることは、当業者が容易に想到できたことである。
　
　そして、本願発明が奏する作用効果も刊行物記載の発明に前記周知技術１ないし３を適用したものにおいて、当業者が容易に予測し得るものである。
　
【３】むすび
　以上のように、本願発明は、刊行物に記載された発明、及び周知技術１ないし３に基づいて当業者が容易に発明をすることができたものであるから、特許法第２９条第２項の規定により特許を受けることができないものであり、本願は拒絶すべきものである。
　
　よって、結論のとおり審決する。